(57)【要約】【課題】  夜用使い捨て生理用パンティーの提供。【解決手段】  パンティー内に一体に吸収装置が設けられ、該パンティーは弾性綿或いは類似の身体にフィットする材質で形成され、且つ腰孔と二つの足孔を具え、且つ該腰孔と足孔に伸縮帯が設けられている。該吸収装置は第１端と第２端を具え、該第１端はパンティーの二つの足孔の間に貼り合わされ、且つ使用者の恥骨部分に対応し、第２端は使用者の臀部に対応し、並びに第２端の面積が第１端より大きく、これにより、使用者が夜間睡眠時に、該生理用パンティーを着用すると、良好な吸収効率を有し、経血の外漏れを防止し、且つ弾性綿或いは類似材質で形成されて身体にフィットして快適であるほか、経血の外漏れを更に防止する。本考案は一回使用した後は直接破棄される。【選択図】        図１
0003103429.tif 000002
【実用新案登録請求の範囲】
【請求項１】
パンティーと吸収装置で組成され、
該パンティーは弾性綿で形成されて一つの腰孔と二つの足孔を具え、
該吸収装置は液体を吸収する機能を具え、第１端及び第２端を具え、該第１端はパンティーの二つの足孔の間に貼り合わされ、且つ使用者の恥骨部分に対応し、第２端は使用者の臀部に対応し、第２端の面積が第１端より大きく、これにより、使用者が夜間睡眠時に、該生理用パンティーを着用する時、良好な吸収効率を有し、且つ弾性綿で形成されるため製造コストが極めて低く、使用後に直接廃棄できることを特徴とする、夜用使い捨て生理用パンティー。
【請求項２】
請求項１記載の夜用使い捨て生理用パンティーにおいて、腰孔周囲に伸縮帯が設けられたことを特徴とする、夜用使い捨て生理用パンティー。
【請求項３】
請求項１記載の夜用使い捨て生理用パンティーにおいて、二つの足孔周囲に伸縮帯が設けられたことを特徴とする、夜用使い捨て生理用パンティー。
【請求項４】
請求項１記載の夜用使い捨て生理用パンティーにおいて、吸収装置の第２端が大面積に設計されたことを特徴とする、夜用使い捨て生理用パンティー。
【請求項５】
請求項１記載の夜用使い捨て生理用パンティーにおいて、パンティーが中腰ハイレグ形態とされ、着用時に腿部の活動に影響を与えないことを特徴とする、夜用使い捨て生理用パンティー。
【請求項６】
請求項１記載の夜用使い捨て生理用パンティーにおいて、吸収装置が綿片とされたことを特徴とする、夜用使い捨て生理用パンティー。
【請求項７】
請求項１記載の夜用使い捨て生理用パンティーにおいて、吸収装置が展開時に壺状を呈することを特徴とする、夜用使い捨て生理用パンティー。
【請求項８】
請求項１記載の夜用使い捨て生理用パンティーにおいて、吸収装置がパンティー内に縫い合わされたことを特徴とする、夜用使い捨て生理用パンティー。
【請求項９】
請求項１記載の夜用使い捨て生理用パンティーにおいて、吸収装置の第２端の平均幅が第１端の平均幅の少なくとも２倍とされたことを特徴とする、夜用使い捨て生理用パンティー。
【考案の詳細な説明】
【技術分野】
【０００１】
本考案は夜用使い捨て生理用パンティーに関する。
【背景技術】
【０００２】
社会の構造形態が変化し、人々が要求する生活品質も高くなり、事物に対する要求も、「使えればよい」という古い考え方から、細かい要求がなされるようになり、不断の進歩或いは創作の構想がなければ現代社会の要求を満足させられない。女性にとって月経は困った問題となる場合があり、流量の多寡の病理上の考慮のほか、経血の外漏れが生活上の不便を形成する。生理用ナプキンは流量の多寡に応じて適当なものが選択され、生理用パンティーに貼り付けて使用され、適当な時間の後に新しいものに交換される。生理用パンティーの多くは重複使用可能であるが、人によっては使い捨ての生理用パンティーを使用する。
【０００３】
現在市販されている生理用ナプキンは、特に外漏れ防止をうたっており、且つ流量に応じて選択される。ただし夜間の睡眠時には姿勢が日中の直立或いは座った姿勢から横たわる姿勢となるため、経血が陰道から肛門に沿って臀部及び背部に至りやすい。量が少なければ大きな問題はないが、経血量が多い時は、夜間に長型の生理用ナプキンを使用しても経血の外漏れが形成する状況が発生しやすい。夜間の経血外漏れは睡眠品質に影響を与え、それが日中の仕事にも影響を与える場合もある。経血外漏れにより下着や寝巻き、マットレスを汚すと選択に時間と労力がかかり、また血液は洗い落としにくく残りやすい。
【０００４】
また、夜間に起きて生理用ナプキンを交換する場合、他人の睡眠を妨害することもある。
【０００５】
また、経血外漏れを心配して生理用ナプキンを重ねて使用すると装着の快適性が低くなる。
【０００６】
また、経血外漏れを心配してティッシュペーパー等を臀部中間両側に置いても効果はよくなく、見た目が悪くなる。
【考案の開示】
【考案が解決しようとする課題】
【０００７】
本考案は一種の夜用使い捨て生理用パンティーを提供することを課題とし、それは、周知の生理用ナプキンの、パンティーに貼り付けてから使用者が着用しなければならない煩わしさ、及び、一般使用時に該生理用ナプキンが１００％の経血を吸収できるわけではなく、パンティーに経血が残留することがあり、そのために着用上の不快感をもたらし、且つ選択時の面倒を形成する問題を解決するものである。
【課題を解決するための手段】
【０００８】
請求項１の考案は、パンティーと吸収装置で組成され、
該パンティーは弾性綿で形成されて一つの腰孔と二つの足孔を具え、
該吸収装置は液体を吸収する機能を具え、第１端及び第２端を具え、該第１端はパンティーの二つの足孔の間に貼り合わされ、且つ使用者の恥骨部分に対応し、第２端は使用者の臀部に対応し、第２端の面積が第１端より大きく、これにより、使用者が夜間睡眠時に、該生理用パンティーを着用する時、良好な吸収効率を有し、且つ弾性綿で形成されるため製造コストが極めて低く、使用後に直接廃棄できることを特徴とする、夜用使い捨て生理用パンティーとしている。
請求項２の考案は、請求項１記載の夜用使い捨て生理用パンティーにおいて、腰孔周囲に伸縮帯が設けられたことを特徴とする、夜用使い捨て生理用パンティーとしている。
請求項３の考案は、請求項１記載の夜用使い捨て生理用パンティーにおいて、二つの足孔周囲に伸縮帯が設けられたことを特徴とする、夜用使い捨て生理用パンティーとしている。
請求項４の考案は、請求項１記載の夜用使い捨て生理用パンティーにおいて、吸収装置の第２端が大面積に設計されたことを特徴とする、夜用使い捨て生理用パンティーとしている。
請求項５の考案は、請求項１記載の夜用使い捨て生理用パンティーにおいて、パンティーが中腰ハイレグ形態とされ、着用時に腿部の活動に影響を与えないことを特徴とする、夜用使い捨て生理用パンティーとしている。
請求項６の考案は、請求項１記載の夜用使い捨て生理用パンティーにおいて、吸収装置が綿片とされたことを特徴とする、夜用使い捨て生理用パンティーとしている。
請求項７の考案は、請求項１記載の夜用使い捨て生理用パンティーにおいて、吸収装置が展開時に壺状を呈することを特徴とする、夜用使い捨て生理用パンティーとしている。
請求項８の考案は、請求項１記載の夜用使い捨て生理用パンティーにおいて、吸収装置がパンティー内に縫い合わされたことを特徴とする、夜用使い捨て生理用パンティーとしている。
請求項９の考案は、請求項１記載の夜用使い捨て生理用パンティーにおいて、吸収装置の第２端の平均幅が第１端の平均幅の少なくとも２倍とされたことを特徴とする、夜用使い捨て生理用パンティーとしている。
【考案の効果】
【０００９】
本考案の夜用使い捨て生理用パンティーは以下のような効果を有している。
１．生理用パンティーの材料コストが相当に低く、使用後に廃棄でき、選択の煩わしさがない。
２．吸収装置が一体にパンティーに結合され、且つ使用者の臀部に貼り合わされる面積が陰部に貼り合わされる面積より大きく、周知の生理用ナプキンよりも大きな吸収面積を有する。ゆえに本考案は夜間睡眠時の吸収効率を確保でき、極めて進歩性を有している。
【考案を実施するための最良の形態】
【００１０】
本考案の夜用使い捨て生理用パンティーは、パンティーに一体に吸収装置が設けられている。該パンティーは弾性綿で形成され、且つ一つの腰孔と二つの足孔を具え、且つ該腰孔と足孔の周囲に伸縮帯が設けられている。該吸収装置は第１端と第２端を具え、該第１端はパンティーの二つの足孔の間に貼り合わされ、且つ使用者の陰部に対応し、第２端は使用者の臀部に対応し、並びに第２端の面積が第１端より大きく、これにより、使用者が夜間睡眠時に、該生理用パンティーを着用すると、良好な吸収効率を有し、且つ弾性綿で形成されているため、製造コストが極めて低く、使用完了後には破棄できる。
【実施例１】
【００１１】
図１から図３は本考案の実施例の構造を示すが、本考案の構造を限定するものではない。図１及び図２に示されるように、本考案の生理用パンティー１は、パンティー１０と吸収装置２０で組成されている。そのうち、パンティー１０の外観形態は一般の女性用パンティーと似ている。特に、本実施例中のパンティー１０は、弾性綿材質或いは類似の身体にフィットする材質で形成され、且つ腰孔（図示せず）及び二つの足孔１１の周囲に伸縮帯１２の設計が設けられ、並びに該パンティー１０は中腰ハイレグの形態とされうる。該吸収装置２０は本実施例では綿片とされ、且つそれは第１端と第２端を具え、該吸収装置２０の第１端の幅は狭く、第２端は第１端より広い。これにより、該吸収装置２０は展開状態下で壺状（図示せず）を呈する。該吸収装置２０は一体にパンティー１０内に縫い合わされ、且つ第１端はパンティー１０の二つの足孔１１の間に貼り合わされ、使用者がパンティー１０を着用する時、使用者の恥骨部分に対応し、該吸収装置２０の第２端はパンティー１０の臀部の位置に対応し、該第２端の平均幅は少なくとも第１端の平均幅の二倍とされる。該吸収装置２０の機能は、一般の生理用ナプキンと同じであり、女性の排出する経血を吸収する（また尿液等の液体を吸収することもできるが、ここでは経血を例とする）。該吸収装置２０の第２端の幅は第１端より広く、且つ、パンティー１０が中腰設計とされ、これにより排出される経血量が比較的多くとも、経血がパンティー１０に広がることがない。このほか、パンティー１０の材質は弾性綿であり、製造コストが非常に低く、ゆえに一回の使用後に廃棄できる。
【００１２】
図３に示されるように、本考案の生理用パンティー１は比較的大きな吸収面積を具え、且つ快適な弾性綿で形成され、このため使用者は生理期間の夜間経血量が多い時に着用するだけでなく、日中に着用しても同じ効果を達成できる。且つ、該パンティー１０はハイレグ設計とされるため、足を長く見せる効果があるほか、活動時に伸縮帯１２が腿部を締めつけることによる不快感を形成せず、このため本考案は使用者に良好な睡眠品質を提供できる。
【図面の簡単な説明】
【００１３】
【図１】本考案の立体外観図である。
【図２】図１の２−２断面図である。
【図３】本考案の実際の使用状態図である。
【符号の説明】
【００１４】
１  生理用パンティー
１０  パンティー                    １１  足孔
１２  伸縮帯                        ２０  吸収装置
【図１】
0003103429.tif 000003
【図２】
0003103429.tif 000004
【図３】
0003103429.tif 000005